(57)【要約】【課題】外光によらず視認性が高い情報を表示するとともに、表示した情報を固定化すること。【解決手段】印刷用部材（ロール紙２０）に所定の画像を印刷する印刷手段（印刷ヘッド３７）と、印刷手段（印刷ヘッド３７）によって印刷された画像を、外部から視認可能に呈示する呈示手段（表示部３）と、画像が印刷された印刷用部材（ロール紙２０）を外部へ排出する排出手段（ローラ３２、従動ローラ３４）と、を有する。このため、必要に応じて新たな画像を印刷用部材（ロール紙２０）に印刷し、呈示手段（表示部３）によって印刷された画像を呈示するとともに、呈示が完了した画像を排出手段（ローラ３２、従動ローラ３４）によって外部に排出して、ユーザに提供する。【選択図】  図２
2004216577.tif 000002
【特許請求の範囲】
【請求項１】
印刷用部材に所定の画像を印刷する印刷手段と、
上記印刷手段によって印刷された画像を、外部から視認可能に呈示する呈示手段と、
上記画像が印刷された印刷用部材を外部へ排出する排出手段と、
を有することを特徴とする表示装置。
【請求項２】
前記呈示手段は、前記印刷用部材を保持するための保持部材と、
前記印刷手段によって印刷された画像の少なくとも一部を外部から視認可能な状態にするための透明部材と、
を有することを特徴とする請求項１記載の表示装置。
【請求項３】
前記画像に係る画像情報を入力する入力手段と、
上記入力手段を介して入力された画像情報を記憶する記憶手段と、
をさらに有することを特徴とする請求項１記載の表示装置。
【請求項４】
前記印刷用部材は、木材または樹脂から形成されたロール紙であり、
前記排出手段によって排出される印刷用部材を所定の長さで切断する切断手段をさらに有することを特徴とする請求項１記載の表示装置。
【請求項５】
画像を電気的に表示する表示手段をさらに有することを特徴とする請求項１記載の表示装置。
【請求項６】
前記表示手段は、前記呈示手段を介して画像を表示することを特徴とする請求項５記載の表示装置。
【請求項７】
前記印刷手段によって印刷された画像を呈示する第１の状態と、前記表示手段によって画像を呈示する第２の状態とを切り替える切り替え手段をさらに有することを特徴とする請求項５または６のいずれか１項に記載の表示装置。
【請求項８】
前記印刷手段によって印刷する前に、前記印刷用部材よりもサイズが小さい他の印刷用部材に前記画像を試験的に印刷する他の印刷手段をさらに有することを特徴とする請求項１記載の表示装置。
【請求項９】
印刷用部材に所定の画像を印刷する印刷ステップと、
上記印刷ステップによって印刷された画像を、外部から視認可能に呈示する呈示ステップと、
上記呈示ステップによって呈示された画像が印刷された印刷用部材を外部へ排出する排出ステップと、
を有することを特徴とする表示方法。
【発明の詳細な説明】
【０００１】
【発明の属する技術分野】
本発明は、表示装置および表示方法に関する。
【０００２】
【従来の技術】
従来から、各種の表示装置が案出されている。このような表示装置の一種として、液晶装置により光変調された光を表示面に拡大投射する投射型表示装置が知られている。この投射型表示装置は、表示面が大きいことから、１台で多くの人に画像を見せることができる。特に、光変調した光が表示面の裏側から拡大投射される、いわゆるリアプロジェクタと称せられている投射型表示装置（特許文献１参照）では、すべての光学系を表示面の裏側に配置でき、装置の小型化が図れるので、広告の表示用としての利用が期待できる。
【０００３】
しかしながら、投射型表示装置（リアプロジェクタ）では、表示面の裏側から光を投射するため、表示面の表面に外光が当たると、外光の反射によって画像が見えにくくなるという問題点がある。
【０００４】
なお、広告媒体として代表的なものとしては、看板が最も一般的であるが、看板で行なえるのは、あくまで固定した情報だけである。また、看板の場合、表示する内容の書き換えなどに多大な手間と期間がかかる。
【０００５】
これらの問題への対応として、出願人は、先に、昼夜など周囲の状況に応じて表示方式を切り替えることができる表示装置を提案した（特許文献２参照）。
【０００６】
【特許文献１】
特開平０５−０８８２６４号公報（要約）
【０００７】
【特許文献２】
特開２００１−３３０８８８号公報（要約）
【０００８】
【発明が解決しようとする課題】
特許文献２の表示装置は、従来の看板に比べ、表示内容の変更がかなり容易にできるが、スクリーンによる表示内容が固定されるため、スクリーン部分の表示内容の変更に関しては従来と同様に多くの手間が必要となっている。
【０００９】
さらに、前述の拡大投射装置や表示装置では、表示された情報を固定化することが困難である。一方、看板では、情報は固定化されているものの、固定化された情報を再利用することができないという問題点がある。
【００１０】
本発明は、上記の事情に基づきなされたもので、その目的とするところは、外光によらず視認性が高い情報を表示するとともに、表示した情報を固定化することができる表示装置および表示方法を提供することにある。
【００１１】
【課題を解決するための手段】
上述の目的を達成するため、本発明は、印刷用部材に所定の画像を印刷する印刷手段と、印刷手段によって印刷された画像を、外部から視認可能に呈示する呈示手段と、画像が印刷された印刷用部材を外部へ排出する排出手段と、を有する。
【００１２】
このため、外光によらず視認性が高い情報を表示するとともに、表示した情報を固定化することが可能になる。
【００１３】
また、他の発明は、上述の発明に加えて、呈示手段は、印刷用部材を保持するための保持部材と、印刷手段によって印刷された画像の少なくとも一部を外部から視認可能な状態にするための透明部材と、を有するようにしている。
【００１４】
このため、印刷された画像を風等の影響を受けずに安定して見ることが可能になるとともに、雨等の影響によって画像が汚損することを防止できる。
【００１５】
また、他の発明は、上述の発明に加えて、画像に係る画像情報を入力する入力手段と、入力手段を介して入力された画像情報を記憶する記憶手段と、をさらに有するようにしている。
【００１６】
このため、呈示される画像を簡単に変更できるとともに、不特定多数のユーザによる利用が可能になる。
【００１７】
また、他の発明は、上述の発明に加えて、印刷用部材は、木材または樹脂から形成されたロール紙であり、排出手段によって排出される印刷用部材を所定の長さで切断する切断手段をさらに有するようにしている。
【００１８】
このため、画像が印刷されたロール紙を所定の長さに切断してユーザに譲渡するとともに、ユーザが搬送しやすい状態にすることができる。
【００１９】
また、他の発明は、上述の発明に加えて、画像を電気的に表示する表示手段をさらに有するようにしている。
【００２０】
このため、印刷手段によって印刷された画像とともに、電気的に表示される画像を表示することも可能になる。
【００２１】
また、他の発明は、上述の発明に加えて、表示手段は、呈示手段を介して画像を表示するようにしている。
【００２２】
このため、表示手段による画像を呈示手段を介して表示するようにすることで構成の簡略化を図り、装置を小型化することが可能になる。
【００２３】
また、他の発明は、上述の各発明に加えて、印刷手段によって印刷された画像を呈示する第１の状態と、表示手段によって画像を呈示する第２の状態とを切り替える切り替え手段をさらに有するようにしている。
【００２４】
このため、呈示手段による画像の呈示と、表示手段による画像の表示を簡易に変更することが可能になる。
【００２５】
また、他の発明は、上述の発明に加えて、印刷手段によって印刷する前に、印刷用部材よりもサイズが小さい他の印刷用部材に画像を試験的に印刷する他の印刷手段をさらに有するようにしている。
【００２６】
このため、試験的に小さな画像を印刷してカラーバランス、トーン、明るさ等を調整した後に、大きなサイズの画像を印刷することができる。
【００２７】
また、本発明は、印刷用部材に所定の画像を印刷する印刷ステップと、印刷ステップによって印刷された画像を、外部から視認可能に呈示する呈示ステップと、呈示ステップによって呈示された画像が印刷された印刷用部材を外部へ排出する排出ステップと、を有するようにしている。
【００２８】
このため、外光によらず視認性が高い情報を表示するとともに、表示した情報を固定化することが可能になる。
【００２９】
【発明の実施の形態】
以下、本発明の一実施の形態について、図面を参照して説明する。
【００３０】
図１は、本発明の第１の実施の形態に係る表示装置の外観を示す図である。この図１に示すように、この表示装置１は、筐体２の開口部２ａに透明部材３ａが係止されて形成された呈示手段となる表示部３を有している。また、筐体２の下部には、画像が印刷されたロール紙２０を排出するための排出口（不図示）が設けられている。なお、筐体２は、公衆が画像を広く閲覧可能となるとともに、画像が印刷されたロール紙２０を容易に取得することが可能となるように、例えば、公衆が集まる場所であって、床面からそれほど高くない場所に取り付けられている。なお、本明細書中において、印刷された内容や電気的な表示手段によって表示される情報となる「画像」とは、ディジタルカメラ等によって撮影された自然画像のみならず、線画、テキスト（文字）、および、アニメーション等も含むものとする。
【００３１】
図２は、図１に示す表示装置１の内部の構造を示す分解図である。この図２に示すように、筐体２の内部には、画像を印刷する印刷用部材であるロール紙２０、画像を印刷するための印刷手段となる印刷ヘッド３７、ロール紙２０の巻き上げおよび繰り出しを行なう排出手段の一部となる一対のローラ３１，３２、ロール紙２０が緊張した状態となるようにする保持部材となるテンションローラ３３、およびローラ３２に従って回転し、ロール紙２０の排出がスムーズに行われるようにする排出手段および保持部材の一部となる従動ローラ３４を有する印刷装置４が格納されている。印刷ヘッド３７によってロール紙２０に印刷された画像Ａ，Ｂは、表示部３の透明部材３ａを介して外部から視認可能に呈示される。また、画像Ａ，Ｂが印刷されたロール紙２０は、ローラ３２および従動ローラ３４によって挟持され、筐体２の底部にある排出口２ｂから装置の外部へ送り出される。
【００３２】
図３は、図２に示す印刷装置４の詳細な構成例を示す図である。この図に示すように、印刷装置４は、ローラ駆動部３５、切り替え手段となる制御部３６、および切断手段となる印刷用部材切断部３８を有している。ここで、ローラ駆動部３５は、図３の状態でローラ３１，３２を反時計方向（ＣＣＷ）に回転させ、ロール紙２０の繰り出しを行なう。制御部３６は、ローラ駆動部３５を制御し、必要に応じてロール紙２０を繰り出す。また、制御部３６は、図示せぬキャリッジモータを制御し、印刷ヘッド３７をロール紙２０の短手方向（以下、「主走査方向」と称する）に往復させるとともに、印刷ヘッド３７に印刷信号を供給して、所定のノズルから所定の色のインクを吐出させ、ロール紙２０の所定の位置にドットを形成することにより、画像を印刷させる。さらに、制御部３６は、印刷用部材切断部３８を制御し、画像が印刷された印刷用部材を切断し、画像単位で分離して出力する。
【００３３】
なお、この図には示していないが、印刷ヘッド３７には、複数の色のインクを供給するためのインクカートリッジが具備されており、このインクカートリッジに貯納されている各色のインクが印刷ヘッド３７に供給される構成となっている。なお、インクカートリッジを印刷ヘッド３７に直接取り付けるのではなく、例えば、筐体２の底部や天部にインクカートリッジを設置しておき、そこからインクを供給するようにしてもよい。そのような構成によれば、印刷ヘッド３７に取り付ける場合に比較して、場所的な制約を受けないため、貯納できるインクの量を増やすことができる。その結果、インクカートリッジの交換の頻度を下げることができる。
【００３４】
図４は、図３に示す制御部３６の詳細な構成例を示す図である。この図４に示すように、制御部３６は、ＣＰＵ（Ｃｅｎｔｒａｌ  Ｐｒｏｃｅｓｓｉｎｇ  Ｕｎｉｔ）６１、ＲＯＭ（Ｒｅａｄ  Ｏｎｌｙ  Ｍｅｍｏｒｙ）６２、ＲＡＭ（Ｒａｎｄｏｍ  Ａｃｃｅｓｓ  Ｍｅｍｏｒｙ）６３、記憶手段となるＨＤＤ（Ｈａｒｄ  Ｄｉｓｋ  Ｄｒｉｖｅ）６４、画像処理部６５、Ｉ／Ｆ（Ｉｎｔｅｒｆａｃｅ）６６、およびバス６７によって構成されている。画像処理部６５には、表示装置７０が接続されている。また、Ｉ／Ｆ６６には、印刷部７１、ローラ駆動部３５、入力手段となる入力部７２、および印刷用部材切断部３８が接続されている。さらに、入力部７２には、ユーザまたは管理者の端末装置７４が必要に応じて接続される。
【００３５】
ここで、ＣＰＵ６１は、ＨＤＤ６４に格納されているプログラムおよびデータを読み出し、これらに基づいて種々の演算処理を実行するとともに、装置の各部を制御する演算処理部である。
【００３６】
ＲＯＭ６２は、ＣＰＵ６１が実行する基本的なプログラムおよびデータを格納しているメモリである。
【００３７】
ＲＡＭ６３は、ＣＰＵ６１が実行対象とするプログラムおよびデータを一時的に格納するためのメモリである。
【００３８】
ＨＤＤ６４は、ＣＰＵ６１が実行するＯＳ（Ｏｐｅｒａｔｉｎｇ  Ｓｙｓｔｅｍ）等のプログラムおよび画像を表示するためのデータ等を格納している記録装置である。
【００３９】
画像処理部６５は、ＣＰＵ６１から供給された描画命令に従って描画処理を実行し、得られた画像を映像信号に変換して出力する。
【００４０】
Ｉ／Ｆ６６は、印刷部７１、ローラ駆動部３５、入力部７２および印刷用部材切断部３８との間でデータを授受する際に、信号の表現形式を適宜変換する。
【００４１】
バス６７は、ＣＰＵ６１、ＲＯＭ６２、ＲＡＭ６３、ＨＤＤ６４、画像処理部６５、およびＩ／Ｆ６６を電気的に相互に接続し、これらの間で情報の授受を可能とするための信号線群である。
【００４２】
表示装置７０は、例えば、ＬＣＤ（Ｌｉｑｕｉｄ  Ｃｒｙｓｔａｌ  Ｄｉｓｐｌａｙ）モニタ等によって構成され、例えば、管理者が表示装置１の設定を変更したり、ユーザが表示しようとする画像を入力したりする際に、必要な情報を表示するために使用される。
【００４３】
印刷部７１は、図３に示す印刷ヘッド３７、およびこれを主走査方向に駆動するための図示せぬキャリッジモータ等によって構成されており、ＣＰＵ６１からの指令に基づいて画像をロール紙２０に印刷する。
【００４４】
入力部７２は、表示装置１に表示させるための画像データを管理者またはユーザの端末装置７４から入力するためのインターフェースであり、例えば、ＵＳＢ（Ｕｎｉｖｅｒｓａｌ  Ｓｅｒｉａｌ  Ｂｕｓ）や、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４インターフェースによって構成されている。なお、ユーザまたは管理者の端末装置７４と直接接続するのではなく、例えば、通信回線を通じて接続したり、赤外線や電波等によって接続したりするようにしてもよい。
【００４５】
印刷用部材切断部３８は、例えば、ロール紙２０を切断するための切断刃と、切断刃を主走査方向に移動させる駆動部とを有しており、前述したように、印刷が終了したロール紙２０を所定の長さで切断して出力する。
【００４６】
つぎに、以上の第１の実施の形態の動作について説明する。
【００４７】
なお、第１の実施の形態に係る表示装置１の使用方法としては、（１）画像を表示する期間と、表示する画像を予め登録しておき、登録された日時になった場合には当該画像を表示する。そして、表示する期間が終了した場合には当該画像を排出し、当該画像が必要な個人または法人に譲渡する方法（以下、第１の使用方法と称する）と、（２）特に、個人のユーザによって入力された画像を、即時に印刷して譲渡する方法（以下、第２の使用方法と称する）とがある。以下では、まず、第１の使用方法に関する動作の説明をする。
【００４８】
個人または法人のユーザが自己の端末装置７４を通信回線を介してまたは直接入力部７２に接続すると、端末装置７４の図示せぬ表示装置または表示装置７０には、図５に示すような画面９０が表示される。この表示例では、テキストボックス９１〜９５およびボタン９６，９７が表示されている。なお、端末装置７４が入力部７２に接続された場合には、操作方法を示す音声によるガイダンス情報を図示せぬスピーカ等によって再生し、ユーザの操作が円滑に進むように補助するようにしてもよい。
【００４９】
図５に示す画面９０では、テキストボックス９１には、ユーザを識別するためのユーザＩＤが入力される。テキストボックス９２には、ユーザが正規のユーザであるか否かを認証するためのパスワードが入力される。テキストボックス９３には、画像の表示を希望する表示年月日が入力される。テキストボックス９４には、画像の表示を希望する期間が入力される。なお、本実施の形態では、表示が終了した場合には、印刷された画像が排出されるので、表示期間の終期が画像の排出日時となる。テキストボックス９５には、表示を希望する画像のファイル名が入力される。ボタン９６は、入力された内容で設定を完了する場合に操作される。ボタン９７は、入力された内容をキャンセルする際に操作される。
【００５０】
このような画面９０において所定の項目を入力した後、ボタン９６が操作されると、入力された項目に関する情報が、端末装置７４から入力部７２を介して制御部３６に供給される。
【００５１】
なお、端末装置７４から画像情報を読み込むのではなく、例えば、入力部７２にディジタルカメラ等を接続して、このディジタルカメラによって撮影された画像を読み込んだり、撮影された画像に文字等の情報を書き込めるようにしておき、文字等が書き込まれた画像を読み込めるようにしてもよい。また、画像のファイル名を入力するのではなく、例えば、メッセージ等のテキスト情報を直接入力するようにしてもよい。
【００５２】
制御部３６のＣＰＵ６１は、端末装置７４等から供給された情報を取得し、まず、取得したユーザＩＤに該当するパスワードをＨＤＤ６４から検索し、端末装置７４等から取得したパスワードと照合することにより、これらが一致するか否かを判定する。そして、一致する場合には正規のユーザであると判定し、表示年月日および表示期間に関する情報を取得し、ＨＤＤ６４に格納されている他の情報と比較することにより、当該期間に他のユーザからの予約が無いか否かを判定する。そして、他の予約が無い場合には当該予約を受け付けるとともに、表示すべき画像をＨＤＤ６４の所定の領域に格納する。また、予約がある場合には、その旨を端末装置７４等に通知し、他の期間を入力するように促す。
【００５３】
以上のようにして予約がなされると、ＣＰＵ６１は、図示せぬタイマによって発生される日時情報を所定の時間間隔で参照し、予約がなされた日時（以下、「予約日時」と称する）の所定時間前になったか否かを判定する。そして、予約日時の所定時間前になった場合には、ＨＤＤ６４から、その予約日時に対応する画像データを読み出し、各種変換（例えば、色空間等の変換）を行って印刷用のビットマップデータを作成する。
【００５４】
つづいて、ＣＰＵ６１は、ローラ駆動部３５を駆動してロール紙２０を所定量だけ移動させ、印刷領域の先頭部分が印刷ヘッド３７の直下に来るようにする。つぎに、ＣＰＵ６１は、ビットマップデータをＨＤＤ６４から読み出し、印刷ヘッド３７に１ライン分だけ供給するとともに、図示せぬキャリッジモータを駆動して印刷ヘッド３７を主走査方向に往復させる。その結果、１ライン分の印刷が完了するので、ＣＰＵ６１は、ローラ駆動部３５を駆動してロール紙２０を長手方向（以下、「副走査方向」と称する）に所定量だけ移動させ、次のラインの印刷を開始する。以上のような動作を繰り返すことにより、ＨＤＤ６４に格納されているビットマップデータに対応する画像がロール紙２０に印刷されることになる。
【００５５】
印刷が完了すると、予約日時となるまでその状態を保持する。その後、予約日時になったと判定すると、ＣＰＵ６１は、ローラ駆動部３５を制御してローラ３１，３２を回転させ、ロール紙２０の画像が印刷された領域を、表示部３の位置まで移動させる。その結果、印刷された画像は、筐体２の透明部材３ａを介して外部から視認可能となるため、公衆はこの画像を閲覧することができる。
【００５６】
なお、予約日時の所定時間前に印刷するようにしたが、この所定時間としては画像を印刷するために十分な時間、例えば、１０分を採用することができる。また、予約日時の所定時間前に印刷を開始するのではなく、既に印刷されている画像が表示部３の位置に移動していく際、すなわち、前画像が表示される予約日時に、つぎに表示される画像を印刷するようにしてもよい。
【００５７】
このようにして画像の表示が開始されると、ＣＰＵ６１は、図示せぬタイマによって発生される日時情報を所定の時間間隔で参照し、表示期間が経過したか否かを判定する。その結果、表示期間が過ぎた場合には、ＣＰＵ６１は、ローラ駆動部３５を駆動して、表示していた画像を表示部３から移動させる。ロール紙２０は、ローラ３２および従動ローラ３４によって挟持され、これらの回転に応じて排出口２ｂから外部へ繰り出される。そして、ロール紙２０の画像が印刷された部分が排出口２ｂから全て排出されると、制御部３６は、印刷用部材切断部３８を制御し、ロール紙２０を切断する。
【００５８】
排出されたロール紙２０は、例えば、画像が印刷された面が内側になるように筒状に巻き取られ、粘着テープ等によって端部が接着されて固定される。このようにして筒状に巻き取られたロール紙２０は、例えば、一定の対価と引き替えに、または、無料で希望者に譲渡される。なお、印刷された画像を表示中に希望者から要求があった場合には、当該画像については排出して当該希望者に譲渡し、新たに同一の画像を印刷して再度表示するようにしてもよい。
【００５９】
つぎに、前述した第２の使用方法の動作について説明する。
【００６０】
例えば、個人等のユーザが端末装置７４を入力部７２に直接接続して画像を入力するか、または、図示せぬディジタルカメラによって撮像した画像を入力部７２を介して入力した場合、制御部３６のＣＰＵ６１は、画像をＩ／Ｆ６６を介して入力し、ＨＤＤ６４に一旦格納する。
【００６１】
ＣＰＵ６１は、現在、印刷された画像を表示中であるか否かを判定し、表示中である場合には、表示中の画像を排出する処理を実行する。すなわち、ＣＰＵ６１は、ローラ駆動部３５を駆動してロール紙２０を移動させるとともに、ロール紙２０の画像が印刷された部分が全て排出された場合には、印刷用部材切断部３８によりロール紙２０を切断する。なお、このようにして排出された画像は、例えば、図示せぬ格納部等に格納しておき、希望者からの要望があった場合に、当該希望者に譲渡するようにしてもよい。
【００６２】
画像を表示中でないか、または、表示中の画像の排出が終了した場合には、ＣＰＵ６１は、ローラ駆動部３５を駆動してロール紙２０を所定量だけ移動させ、印刷領域の先頭部分が印刷ヘッド３７の直下に来るようにする。つぎに、ＣＰＵ６１は、ＨＤＤ６４に一旦格納しておいた画像データを読み出し、所定の処理（色空間の変換処理等）を施し、ビットマップデータに変換する。そして、ＣＰＵ６１は、ビットマップデータを印刷ヘッド３７に１ライン分だけ供給するとともに、図示せぬキャリッジモータを駆動して印刷ヘッド３７を主走査方向に往復させる。その結果、１ライン分の印刷が完了するので、ＣＰＵ６１は、ローラ駆動部３５を駆動してロール紙２０を長手方向に所定量だけ移動させ、次のラインの印刷を開始する。以上のような動作を繰り返すことにより、ＨＤＤ６４に格納されているビットマップデータに対応する画像がロール紙２０に印刷されることになる。
【００６３】
印刷が終了すると、ＣＰＵ６１は、ローラ駆動部３５を制御してロール紙２０を排出口２ｂから送出するとともに、画像が印刷された部分が全て排出された場合には、印刷用部材切断部３８を制御してロール紙２０を切断する。このようにして排出されたロール紙２０は、例えば、一定の対価と引き替えに、または、無料でユーザに譲渡されることになる。
【００６４】
画像の排出が完了すると、ＣＰＵ６１は、画像を表示中であった場合には、同一の画像をＨＤＤ６４から読み出して、印刷部７１に再度印刷して表示し、処理を終了する。また、画像を表示中でなかった場合には処理を終了する。
【００６５】
以上に説明したように、本発明の第１の実施の形態によれば、画像を印刷装置４によってロール紙２０に印刷し、公衆に呈示するようにしたので、環境が明るい場合でも、視認性の高い情報を呈示することが可能になる。
【００６６】
また、第１の実施の形態では、看板等に比べると、表示する内容を簡単に変更することが可能になるので、内容を変更するために必要な労力とコストを低減することが可能になる。また、その結果、広告主であるユーザが負担するコストも削減することが可能になる。
【００６７】
また、第１の実施の形態では、入力部７２を介して一般のユーザからの画像の入力を受け付けるようにしたので、一般のユーザが公衆に向けて情報を自由に発信することが可能になる。
【００６８】
また、第１の実施の形態では、印刷された画像を希望者に譲渡するようにしたので、印刷された画像を有効に利用することが可能になる。
【００６９】
つぎに、本発明の第２の実施の形態について説明する。
【００７０】
本発明の第２の実施の形態に係る表示装置１Ａの外観は、図１の場合と同様であり、筐体２は、公衆が画像を広く閲覧可能となるとともに、印刷された画像を容易に取得することが可能となるように、例えば、公衆が集まる場所であって、床面からそれほど高くない場所に取り付けられている。
【００７１】
図６は、第２の実施の形態に係る表示装置１Ａの詳細な構成例を示す図である。なお、この図６において、図３に示す第１の実施の形態と対応する部分には同一の符号を付してその説明を省略する。この図６に示すように、第２の実施の形態では、表示手段となる拡大投射装置２００が新たに追加されている。その他の構成は、図３の場合と同様である。
【００７２】
ここで、拡大投射装置２００は、図６の詳細な構成やその端面図である図７に示すように、筐体２０１、開口部２０２、光源２０３、凹面鏡２０４、液晶装置２０５、および投射光学系２０６によって構成されている。
【００７３】
筐体２０１は、前面側に開口部２０２を有しており、この開口部２０２を介して画像をロール紙２０の裏面に拡大投射する。光源２０３は、例えば、ハロゲンランプ等によって構成されており、白色光を液晶装置２０５に向けて放射する。凹面鏡２０４は、光源２０３から放射された光を液晶装置２０５に集光する。
【００７４】
液晶装置２０５は、例えば、アクティブマトリクス型の液晶パネルによって構成されており、光源２０３からの直接光または凹面鏡２０４によって集光された反射光を表示しようとする画像に応じて変調して出力する。投射光学系２０６は、例えば、反射鏡によって構成されており、液晶装置２０５によって変調された光を反射して、ロール紙２０の裏面に投射する。
【００７５】
なお、図７には、１枚の液晶装置２０５のみ図示してあるが、光源２０３から出射された光を赤（Ｒ）、緑（Ｇ）、青（Ｂ）の各色の光に分離する光分離光学系を配置するとともに、各色の光をそれぞれ変調する３枚の液晶装置２０５を用い、各液晶装置２０５から出射された光をプリズムなどによって合成してから表示部３に拡大投射すれば、表示部３においてカラーの画像を表示することができる。
【００７６】
なお、第２の実施の形態では、拡大投射装置２００によってロール紙２０の背面から画像を投射するため、ロール紙２０としては、ある程度の透光性を有するペット紙等を用いる。
【００７７】
つぎに、第２の実施の形態の動作について説明する。
【００７８】
なお、第２の実施の形態も第１の実施の形態と同様に、第１の使用方法と第２の使用法とがある。以下では、まず、（１）について動作の説明をする。
【００７９】
個人または法人のユーザが自己の端末装置７４を通信回線を介して入力部７２に接続するか、または、入力部７２に直接接続すると、第１の実施の形態の場合と同様に、図５に示すような画面が端末装置７４に表示されるので、ユーザは、第１の実施の形態の場合と同様に必要な項目を入力する。
【００８０】
項目の入力が終了し、ボタン９６が操作されると、第１の実施の形態の場合と同様に、認証処理が実行され、正規のユーザと認証された場合には、予約の要求が受け付けられ、ＨＤＤ６４に新たな予約として登録される。
【００８１】
このようにして予約がなされると、ＣＰＵ６１は、図示せぬタイマによって発生される日時情報を所定の時間間隔で参照し、予約日時の所定時間前になったか否かを判定する。そして、予約日時の所定時間前になった場合には、ＣＰＵ６１は、図示せぬタイマから供給されたその時点における時刻を参照し、拡大投射装置２００または印刷装置４のいずれによって画像を表示するかを決定する。例えば、表示する時点での時刻が午後６時〜午前６時の時間帯に該当する場合には、拡大投射装置２００によって画像を表示することを決定し、また、この時間帯以外に該当する場合には印刷装置４によって画像を表示することを決定する。所定の時間としては、例えば、１０分を採用することができる。
【００８２】
なお、前述した時間帯は、これ以外の時間帯とすることも可能である。また、季節等に応じて時間帯を適宜変更することも可能である。例えば、夏期には時間帯を短く設定し（例えば、午後８時〜午前４時に設定し）、逆に冬期にはこの時間帯を長く設定する（例えば、午後４時〜午前８時に設定する）ようにしてもよい。そのような構成によれば、季節に応じて最適な時間帯を設定することができる。
【００８３】
また、時刻ではなく、設置された環境の明るさを、例えば、フォトセンサ等によって検出し、明るさが所定のレベル未満になった場合には拡大投射装置２００を選択し、所定のレベル以上になった場合には印刷装置４を選択するようにしてもよい。そのような構成によれば、その日の天候や設置環境に応じた最適な表示方法を選択することが可能になる。
【００８４】
ＣＰＵ６１は、例えば、現在の時刻が午後２時である場合には、１０分後となる予定日時は前述した時間帯には該当しないので、印刷装置４によって表示することを決定する。そして、ＣＰＵ６１は、第１の実施の形態で説明したように、登録されている画像データをＨＤＤ６４から読み出し、所定の変換を施した後、印刷装置４によってロール紙２０に印刷する。印刷が終了すると、ＣＰＵ６１は、ローラ駆動部３５を駆動し、印刷が完了した画像を表示部３まで移動させて表示する。この場合、第１の実施の形態で説明したように、予め画像を印刷しておき、予約日時になると、ローラ駆動部３５を駆動し、表示部３まで移動させるようにしてもよい。
【００８５】
一方、現在の時刻が、例えば、午後１０時である場合には、１０分後の予定日時は前述した時間帯に該当するので、拡大投射装置２００によって表示することを決定する。そして、ＣＰＵ６１は、予定日時または予定日時の直前になるとローラ駆動装置３５を制御してロール紙２０を移動させ、開口部２０２の前面に画像が印刷されていない部分（空白部分）がくるようにする。なお、予約日時に到達する前にロール紙２０を駆動させる場合は、ロール紙２０の印刷されていない部分が開口部２０２を全面的に覆うようになるまでの時間を考慮して動作を開始させるのが望ましい。
【００８６】
つづいて、ＣＰＵ６１は、ＨＤＤ６４に登録されている画像データを読み出し、画像処理部６５に供給する。画像処理部６５は、ＣＰＵ６１から供給された画像データを映像信号に変換し、拡大投射装置２００に出力する。
【００８７】
拡大投射装置２００では、制御部３６のＣＰＵ６１から供給された画像データを取得し、液晶装置２０５に供給して表示するとともに、光源２０３を点灯させる。その結果、光源２０３から白色光が放射され、凹面鏡２０４によって液晶装置２０５に集光される。液晶装置２０５は、ＣＰＵ６１から供給された映像信号に応じて白色光を変調し、投射光学系２０６に入射する。
【００８８】
投射光学系２０６は、液晶装置２０５から入射された光を反射し、開口部２０２を通過してロール紙２０の裏面に投射する。その結果、ロール紙２０には、ＨＤＤ６４に登録されている画像が表示されることになる。なお、拡大投射装置２００によって投射された画像は、光源２０３によって自ら発光しているので、環境が暗い場合であっても表示されている画像の視認性を高めることができる。また、環境が暗いため、表示面の表面に外光が当たって外光の反射により画像が見えにくくなるという問題も生じない。
【００８９】
一方、環境が明るい場合には、印刷装置４によって印刷された画像が表示される。印刷された画像は、明るい環境下では視認性が高く、また、拡大投影装置２００に比べると、環境が過度に明るい場合でも視認性が低下することはない。
【００９０】
このようにして画像の表示が開始されると、前述の場合と同様に、ＣＰＵ６１は、図示せぬタイマによって発生される日時情報を所定の時間間隔で参照し、表示期間が経過したか否かを判定する。そして、表示期間が過ぎた場合には、ローラ駆動部３５を駆動して、排出口２ｂから外部へ繰り出すとともに、印刷用部材切断部３８を制御し、ロール紙２０を切断する。
【００９１】
排出されたロール紙２０は、前述の場合と同様に、例えば、画像が印刷された面が内側になるように筒状に巻き取られ、粘着テープ等によって端部が接着されて固定される。このようにして筒状に巻き取られたロール紙２０は、一定の対価と引き替えに、または、無料で希望者に譲渡される。なお、印刷装置４によって印刷した画像を表示中に、希望者から要求があった場合には、当該画像については排出して当該希望者に譲渡し、新たに同一の画像を印刷して再度表示するようにしてもよい。また、拡大投射装置２００によって投射された画像を表示中に希望者から要求があった場合には、一旦表示を中断して、投影されている画像と同一の画像を印刷装置４によって印刷して希望者に譲渡した後、再度同一の画像を拡大投射装置２００により表示するようにしてもよい。
【００９２】
つぎに、前述した第２の使用方法の動作について説明する。
【００９３】
例えば、個人等のユーザが端末装置７４を入力部７２に直接接続して画像を入力するか、または、図示せぬディジタルカメラによって撮像した画像を入力部７２を介して入力した場合、制御部３６のＣＰＵ６１は、画像をＩ／Ｆ６６を介して入力し、ＨＤＤ６４に一旦格納する。
【００９４】
ＣＰＵ６１は、現在、印刷装置４によって印刷された画像を表示中であるか否かを判定し、表示中である場合には、表示中の画像を排出する処理を実行する。すなわち、ＣＰＵ６１は、ローラ駆動部３５を駆動してロール紙２０を移動させるとともに、ロール紙２０の画像が印刷された部分が全て排出された場合には、印刷用部材切断部３８によりロール紙２０を切断する。なお、このようにして排出された画像は、例えば、図示せぬ格納部等に格納しておき、希望者からの要望があった場合に、当該希望者に譲渡することができる。
【００９５】
一方、印刷装置４によって印刷された画像を表示中でない場合、表示中の画像の排出が終了した場合、または、拡大投射装置２００によって画像を表示中である場合には、ＣＰＵ６１は、ローラ駆動部３５を駆動してロール紙２０を所定量だけ移動させ、印刷領域の先頭部分が印刷ヘッド３７の直下に来るようにする。そして、ＣＰＵ６１は、ＨＤＤ６４に格納されているビットマップデータを印刷装置４に供給して印刷させる。その結果、ビットマップデータに対応する画像がロール紙２０に印刷されることになる。
【００９６】
印刷が終了すると、ＣＰＵ６１は、ローラ駆動部３５を制御してロール紙２０を排出口２ｂから送出するとともに、画像が印刷された部分が全て排出された場合には、印刷用部材切断部３８を制御してロール紙２０を切断する。このようにして排出されたロール紙２０は、例えば、一定の対価と引き替えに、または、無料でユーザに譲渡されることになる。
【００９７】
画像の排出が完了すると、ＣＰＵ６１は、印刷装置４によって印刷された画像を表示中であった場合には、同一の画像をＨＤＤ６４から読み出して、印刷部７１に再度印刷して表示し、処理を終了する。また、拡大投射装置２００によって画像を表示中であった場合には同一の画像を再度拡大投射装置２００によって表示した後、処理を終了する。さらに、印刷装置４によって印刷された画像を表示中でなかった場合には直ちに処理を終了する。
【００９８】
以上に説明したように、本発明の第２の実施の形態によれば、環境が明るい場合には印刷装置４により画像を印刷し、環境が暗い場合には拡大投射装置２００によって画像を投射することにより、常に、視認性の高い情報を提供することができる。
【００９９】
また、希望者から要求があった場合には、表示部３に表示中の画像（印刷された画像および投射された画像の双方）を印刷して出力するようにしたので、この印刷された画像の譲渡を受けた希望者が当該画像を別の場所に貼付等することにより、新たな宣伝効果を期待することができる。
【０１００】
なお、以上の第２の実施の形態では、時間帯に応じて表示方法を切り替えるようにしたが、図５に示す設定画面において、いずれの表示方法を選択するかをユーザ自身が設定し、設定された内容に応じて表示方法を選択するようにしてもよい。そのような構成によれば、ユーザのニーズに合致した方法によって情報を呈示することができる。
【０１０１】
つぎに、本発明の第３の実施の形態について説明する。
【０１０２】
図８および図９は、本発明の第３の実施の形態に係る表示装置の構成例を示す図である。なお、この図８および図９において、図３に示す第１の実施の形態や図６に示す第２の実施の形態と対応する部分には同一の符号を付してその説明を省略する。
【０１０３】
第３の実施の形態の表示装置１Ｂは、第２の実施の形態の表示装置１Ａと比較すると、図８および図９に示すように、拡大投射装置２００の開口部２０２に投射用のスクリーン２５０が設けられており、また、ロール紙２０の一部に窓２０ａが設けられている。その他の構成は、第２の実施の形態の場合と同様である。
【０１０４】
図８は、第３の実施の形態に係る表示装置１Ｂの拡大投射装置２００の詳細な構成例を示す図である。この図８に示すように、ロール紙２０の一部に窓２０ａが設けられており、この窓２０ａを介して拡大投射装置２００のスクリーン２５０が見えるように構成されている。なお、窓２０ａは、ロール紙２０自身が切り抜かれた構成のもの、あるいは透明なシートによって構成されたもののいずれであってもよい。また、この窓２０ａは、印刷用部材２０に一定の間隔毎に具備しておく。
【０１０５】
図９は、図８に示す表示装置１Ｂの断面（端面）を示す図である。図９に示す表示装置１Ｂでは、拡大投射装置２００の前面にスクリーン２５０が設けられており、このスクリーン２５０に対して画像が投射される。また、このようにして投射された画像は、ロール紙２０に設けられた窓２０ａを介して外部から視認可能となる。
【０１０６】
つぎに、第３の実施の形態の動作について説明する。なお、第３の実施の形態の基本的な動作は、第１および第２の実施の形態の場合と同様であるので、異なる部分を中心にして説明する。
【０１０７】
第３の実施の形態では、印刷装置４によって画像を印刷する場合は、第２の実施の形態と同様に印刷ヘッド３７によって画像が印刷されて表示がなされ、その動作は第１および第２の実施の形態の場合と異なることはない。
【０１０８】
一方、拡大投射装置２００によって画像を表示する場合、まず、ＣＰＵ６１は、ローラ駆動装置３５を駆動してロール紙２０の窓２０ａをスクリーン２５０の前面に移動させる。そして、そのような状態になった後に拡大投射装置２００に対して画像を投射させることにより、窓２０ａを介して投射された画像を閲覧することが可能になる。
【０１０９】
つぎに、拡大投射装置２００による画像の表示を終了し、印刷装置４により画像を印刷する場合には、ローラ駆動部３５を制御してロール紙２０を移動させ、空白部分が印刷ヘッド３７の下に来るように制御し、画像の印刷を開始する。
【０１１０】
以上の第３の実施の形態によれば、ロール紙２０として、前述のペット紙のような特殊な紙を使用する必要がなくなるので、ランニングコストを削減することが可能になる。なお、窓２０ａの部分には画像を印刷することはできないので、そのまま破棄するしかないが、この部分にはもともの紙が存しないので、破棄する紙の量は少なくて済む。
【０１１１】
以上、本発明の一実施の形態について説明したが、本発明はこれ以外にも種々変形可能である。
【０１１２】
例えば、以上の各実施の形態では、印刷用部材としてロール紙２０を用いるようにしたが、カットシートを用いることも可能である。カットシートを用いる場合、例えば、第３の実施の形態の場合には、紙送り制御を停止するだけで、表示部２５０を視認可能とすることができるので、ロール紙２０に窓２０ａを設ける必要がなく、また、制御も容易になる。なお、カットシートを用いる場合には、複数のカットシートを格納する格納部、格納部に格納されているカットシートを装置に供給する供給部、および印刷が終了したカットシートを表示部２５０の前面まで搬送する搬送部を設ける必要がある。なお、これらの技術は、例えば、プリンタ等に用いられており、すでに周知であるため、その詳細な説明は省略する。また、カットシートの採用は第１および第２の実施の形態でも可能である。
【０１１３】
また、以上の各実施の形態では、印刷装置４はインクジェット方式により画像を印刷するようにしたが、これ以外の方法（例えば、熱昇華式印刷方法、レーザ式印刷方法等）によって印刷することも可能である。
【０１１４】
また、第２および第３の実施の形態では、表示手段となる拡大投射表示装置２００としてリアプロジェクタを用いるようにしたが、表示手段としてはこれ以外のプロジェクタ（フロントプロジェクタ）を用いることも可能である。また、プロジェクタではなく、例えば、発光ダイオードや液晶等による表示装置やテレビジョン（プラズマ方式、液晶方式等）を用いることも可能である。
【０１１５】
また、以上の各実施の形態では、印刷装置４によって印刷された画像は、一旦表示部３に表示した後に、排出するようにしたが、特に、第２の使用方法であって、プライベートな画像等を印刷する場合には、例えば、表示部３を一時的に覆っておいて、画像を排出するようにしてもよい。そのような構成によれば、第三者に印刷された内容を見られることなく、出力することができる。なお、排出された画像は、前述したように、印刷面が内側になるように円筒状に巻き取られるので、他人の目に触れることはない。
【０１１６】
また、以上の実施の形態では、入力された画像を直ちに印刷して出力するようにしたが、例えば、印刷装置４よりもサイズの小さい画像を印刷するための他の印刷装置（小型印刷装置）を設けておき、最初に当該他の印刷装置で試験的に画像を印刷した後、例えば、カラーバランス、コントラスト、明るさ等を調整した後、印刷装置４によって画像を印刷するようにしてもよい。
【０１１７】
また、各表示とともに、音楽を流したり、所定のアナウンスを流したりしてもよい。さらには、筐体２の周辺の一部または全周に、表示部３に表示される内容と同期した動きまたは関連する動きを行う動作体を配置するようにしてもよい。また、その動作体の動きを上述の音楽やアナウンス等と同期させるようにしてもよい。
【０１１８】
さらに、印刷用部材としては、紙、樹脂、布等から形成されたロール紙スクリーンや多枚数からなるスクリーン等が採用される。また、各実施の形態では、印刷装置４や表示手段を筐体２の内部に配置しているが、例えば、ビルの窓を表示部３の代わりにとすることで、筐体２を特別に設けず、ビルそのものを筐体２の代わりとなるようにしたり、筐体２の外部に制御部３６を配置したりするようにしてもよい。
【０１１９】
【発明の効果】
本発明によれば、外光によらず視認性が高い情報を表示するとともに、表示した情報を固定化することが可能になる。
【図面の簡単な説明】
【図１】本発明の第１の実施の形態に係る表示装置の外観を示す図である。
【図２】図１に示す表示装置の内部構造を説明するための分解図である。
【図３】図２に示す表示装置の印刷装置の詳細な構成例を示す図である。
【図４】図３に示す制御部の詳細な構成例を示すブロック図である。
【図５】図１に示す表示装置にユーザの端末装置が接続された場合に、当該端末装置の表示部に表示される画面の一例である。
【図６】本発明の第２の実施の形態に係る表示装置の構成例を示す図である。
【図７】図６に示す表示装置の詳細な構成例を示す図である。
【図８】本発明の第３の実施の形態に係る表示装置の構成例を示す図である。
【図９】図８に示す表示装置の詳細な構成例を示す図である。
【符号の説明】
１，１Ａ，１Ｂ  表示装置
３  表示部（呈示手段）
３ａ  透明部材（透明部材）
２０  ロール紙（印刷用部材）
３２  ローラ（排出手段の一部）
３３  テンションローラ（保持部材の一部）
３４  従動ローラ（排出手段の一部、保持部材の一部）
３６  制御部（切り替え手段）
３７  印刷ヘッド（印刷手段）
３８  印刷用部材切断部（切断手段）
６４  ＨＤＤ（記憶手段）
７２  入力部（入力手段）
２００  拡大投射装置（表示手段）
【図１】
2004216577.tif 000003
【図２】
2004216577.tif 000004
【図３】
2004216577.tif 000005
【図４】
2004216577.tif 000006
【図５】
2004216577.tif 000007
【図６】
2004216577.tif 000008
【図７】
2004216577.tif 000009
【図８】
2004216577.tif 000010
【図９】
2004216577.tif 000011